(57)【要約】      （修正有）【課題】ハンドホールのブロック状部材の内側の四隅に容易に取り付けることが出来、上に重ねるブロック状部材を正確に位置合わせして、接続できるハンドホール組立治具を提供する。【解決手段】複数のブロック状パーツを積み重ねて成るハンドホールの組立治具において、長さが自在に調整できる突っ張り棒１の両端に、当該突っ張り棒１の長手方向に対して直角な縦長の当て板６を夫々設け、当該各当て板６の上部を内側に折り曲げたガイド片７とし、この突っ張り棒１を２個用意して、下部のブロック状パーツＨ２の上端部の内周角面Ｈ２１に各突っ張り棒１の当て板６を当てて、対角線状に各突っ張り棒１を突っ張らせ、各突っ張り棒１のガイド片７を下部のブロック状パーツＨ２の上端四隅から内側斜め上方に突出させる構成とした。【選択図】図３
0003221012.tif 000002
【実用新案登録請求の範囲】
【請求項１】
複数のブロック状パーツを積み重ねて成るハンドホールの組立治具において、長さが自在に調整できる突っ張り棒の両端に、当該突っ張り棒の長手方向に対して直角な縦長の当て板を夫々設け、当該各当て板の上部を内側に折り曲げたガイド片とし、この突っ張り棒を２個用意して、下部のブロック状パーツの上端部の内側角部に各突っ張り棒の当て板を当てて、対角線状に前記各突っ張り棒を突っ張らせ、各突っ張り棒のガイド片を前記下部のブロック状パーツの上端四隅から内側斜め上方に突出させる構成としたことを特徴とする、ハンドホール組立治具。
【請求項２】
前記各突っ張り棒は、長手方向に二分され、一方の二分された突っ張り棒部材の一端から螺子棒が突出し、当該螺子棒に、前記各突っ張り棒部材の外径以上の外径を有し、内周に螺子を有する調整管が螺着され、他方の二分された突っ張り棒部材は管状体に構成され、前記螺着された調整管の外側の螺子棒に被冠されたことを特徴とする、請求項１に記載のハンドホール組立治具
【請求項３】
前記各突っ張り棒の少なくとも一端の各当て板が、各突っ張り棒に対してユニバーサルに接続されたことを特徴とする、請求項１又は２に記載のハンドホール組立治具。
【請求項４】
前記各当て板の中央部に孔を開けて、当該孔の内側にローラを回転自在に設け、当該ローラの一側を各当て板の外側に突出させたことを特徴とする、請求項１〜３のいずれかに記載のハンドホール組立治具。
【請求項５】
前記２個の突っ張り棒が各中央部で相互に回転自在に軸支されていることを特徴とする、請求項１〜４のいずれかに記載のハンドホール組立治具。
【請求項６】
複数のブロック状パーツを積み重ねて成るハンドホールの組立治具において、長さが自在に調整できる突っ張り棒の両端に、当該突っ張り棒とによって平面視略Ｔ字型となるようにアーム支持体を夫々設け、当該各アーム支持体の両側に２本のアームの基部を、水平方向に回転自在に夫々接続し、かつ各アームの先端に、当該アームの長手方向に対して直角な縦長の当て板を夫々設け、当該各当て板の上部を内側に折り曲げたガイド片とし、前記各アームは前記突っ張り棒の長手方向から外方に４５度まで開く構成とし、また、前記各当て板は各アームに対しユニバーサルに接続されたことを特徴とする、ハンドホール組立治具。
【考案の詳細な説明】
【技術分野】
【０００１】
この考案は、管路式の地中埋設工事において、地中に埋められている電線、ケーブル、電線管の接続や点検を行う地中箱型のハンドホールを組み立てる際に用いる組立治具に関するものである。
【背景技術】
【０００２】
プレハブタイプのハンドホールは、地表面に掘った穴の中でブロック状のパーツを下から積み重ねて組み合わせる。施工にあたっては、クレーンなどを使用して各パーツを組み上げていく。
【０００３】
各パーツの上端の接合面には止水用の接着剤のついたシール材が付いており、一度接合すると取ることが出来ない。従って、上から重ねるパーツが、もし所定の位置からずれてしまった場合、再度シール材を取付けなければならず、その作業に極めて手間がかかる。また、接合部を合わせようとその付近に作業者の手を添えるなどした場合、指などを挟む危険がある。
【０００４】
そこで、上下のパーツを重ねる際のガイドが開発された。特許文献１のものはその一例である。
【０００５】
特許文献１のものは、上下段で組み立てられるハンドホール・マンホール等の埋設ボックスにおける下段に位置するボックスベースの開口部端の内側面に着脱自在に取り付けられる取付け部と、開口部の上方に突出されていて所定の吊下げ機器に連繋されると共に上段に積み重ねられるボックススラブの下部内側面が当接されることで、ボックススラブを位置決めさせる連繋案内部とから成る、ハンドホール・マンホール等の組立式埋設ボックス用案内吊り金具である。
【先行技術文献】
【特許文献】
【０００６】
【特許文献１】実用新案登録第３１８６４３６号公報
【考案の開示】
【考案が解決しようとする課題】
【０００７】
前記特許文献１の案内吊り金具は、ボックスベースの四隅の内側面に設けられたネジ穴を利用し、そのネジ穴に螺着したボルトで上記吊り金具を固定する。しかしながら、ハンドホールによっては、前記ネジ穴がないものがある。そのようなハンドホールには適用できない。
【０００８】
また、特許文献１とは別に、ハンドホールのブロック状部材の外側にガイド治具を取付ける方法もあるが、各ブロック状部材を正確に接合するためにはハンドホールの外側と内側とですり合わせる必要があり、外側にガイド治具を取付けた場合、内側に作業者が入って調整するか、ガイド治具を内側にも取り付けなければならず、安全面、作業効率の面でも芳しいものではない。
【０００９】
この考案は、上記の点に着目し、何の加工を施すこともなく、ハンドホールのブロック状部材の内側の四隅に容易に取り付けることが出来、上に重ねるブロック状部材を正確に位置合わせして、接続できる組立ガイド治具を提供することを目的としたものである。
【課題を解決するための手段】
【００１０】
請求項１の考案は、複数のブロック状パーツを積み重ねて成るハンドホールの組立治具において、長さが自在に調整できる突っ張り棒の両端に、当該突っ張り棒の長手方向に対して直角な縦長の当て板を夫々設け、当該各当て板の上部を内側に折り曲げたガイド片とし、この突っ張り棒を２個用意して、下部のブロック状パーツの上端部の内側角部に各突っ張り棒の当て板を当てて、対角線状に前記各突っ張り棒を突っ張らせ、各突っ張り棒のガイド片を前記下部のブロック状パーツの上端四隅から内側斜め上方に突出させる構成とした、ハンドホール組立治具とした。
【００１１】
また、請求項２の考案は、前記各突っ張り棒は、長手方向に二分され、一方の二分された突っ張り棒部材の一端から螺子棒が突出し、当該螺子棒に、前記各突っ張り棒部材の外径以上の外径を有し、内周に螺子を有する調整管が螺着され、他方の二分された突っ張り棒部材は管状体に構成され、前記螺着された調整管の外側の螺子棒に被冠された、請求項１に記載のハンドホール組立治具とした。
【００１２】
また、請求項３の考案は、前記各突っ張り棒の少なくとも一端の各当て板が、各突っ張り棒に対してユニバーサルに接続された、請求項１又は２に記載のハンドホール組立治具とした。
【００１３】
また、請求項４の考案は、前記各当て板の中央部に孔を開けて、当該孔の内側にローラを回転自在に設け、当該ローラの一側を各当て板の外側に突出させた、請求項１〜３のいずれかに記載のハンドホール組立治具とした。
【００１４】
また、請求項５の考案は、前記２個の突っ張り棒が各中央部で相互に回転自在に軸支されている、請求項１〜４のいずれかに記載のハンドホール組立治具とした。
【００１５】
又請求項６の考案は、複数のブロック状パーツを積み重ねて成るハンドホールの組立治具において、長さが自在に調整できる突っ張り棒の両端に、当該突っ張り棒とによって平面視略Ｔ字型となるようにアーム支持体を夫々設け、当該各アーム支持体の両側に２本のアームの基部を、水平方向に回転自在に夫々接続し、かつ各アームの先端に、当該アームの長手方向に対して直角な縦長の当て板を夫々設け、当該各当て板の上部を内側に折り曲げたガイド片とし、前記各アームは前記突っ張り棒の長手方向から外方に４５度まで開く構成とし、また、前記各当て板は各アームに対しユニバーサルに接続された、ハンドホール組立治具とした。
【考案の効果】
【００１６】
請求項１の考案によれば、２本の突っ張り棒の各当て板をハンドホールの下部のブロック状パーツの内周角部に当てて、各当て板の上部のガイド片を当該ブロック状パーツの上端から上に突出させることにより、上部のブロック状パーツを前記下部のブロック状パーツに重ねる際、上部のブロック状パーツのガイドとなり、正確、かつ、容易に上部のブロック状パーツを下部のブロック状パーツに重ねることが出来る。この組立治具の取付は、上述のように、ブロック状パーツの内側に容易に取り付けられ、ブロック状パーツに加工を加えたり、傷つけたりすることがない。しかも、上部のブロック状パーツを上から下ろす際、当該上部のブロック状パーツが各当て板のガイド片に当たってもずれたりすることがない。
【００１７】
また、請求項２の考案によれば、各突っ張り棒の調整管を回して他方の突っ張り棒部材を螺子棒に沿って伸長させるため、螺子の推進力及び耐荷重により当該突っ張り棒の両端の当て板をより強固にブロック状部材の内周面にあてがうことが出来、例え、上部のブロック状パーツが各当て板のガイド片に当たってもガイド片や突っ張り棒がずれたりしない。
【００１８】
また、請求項３の考案によれば、各突っ張り棒の少なくとも一端の各当て板が、各突っ張り棒に対して上下左右に回転自在に（ユニバーサルに）接続されているため、ハンドポールの横断面が正四角形でなく、長方形でもこの考案の組立治具を使用できる。
【００１９】
また、請求項４の考案によれば、各突っ張り棒の両端の当て板にローラを設けているため、下部のブロック状パーツの上に上部のブロック状パーツが積み上げられた後、さらにこの上に、上部のブロック状パーツを積み重ねる際、各突っ張り棒の両端のローラを内周面に当てた状態で当該ブロック状パーツの上端までスムーズに持ち上げることが出来、作業が容易になる。
【００２０】
また、請求項５の考案によれば、２本の突っ張り棒が中央部で回転自在に接続されているため、各突っ張り棒を１本、１本ブロック状パーツに取付けず、一度に取付けたり、吊り上げたりすることが出来る。
【００２１】
また、請求項６の考案によれば、当該ハンドホール組立治具を１台用意すれば、ハンドホールのブロック状パーツの内周角部に４つの当て板を当接させて、当該ブロック状パーツの上端からガイド片を突出させることが出来る。これは４つの当て板が一体となっており、１本の突っ張り棒の長さ調整により前記ブロック状パーツの内周に取付けるため、ハンドホールの横断面の形状、寸法に容易に合わせることが出来、ハンドホールの組立作業が迅速かつ容易に出来る。
【図面の簡単な説明】
【００２２】
【図１】この考案の実施の形態例１のハンドホール組立治具の正面図であり、（ａ）図は長さを短くした状態の正面図、（ｂ）図は長くした状態の正面図である。
【図２】この考案の実施の形態例１のハンドホール組立治具をハンドホールの下部のブロック状パーツに取付けた状態の平面図である。
【図３】この考案の実施の形態例１のハンドホール組立治具を下部のブロック状パーツに取付け、上部のブロック状パーツをその上から積み重ねる状態を示す一部断面正面図である。
【図４】この考案の実施の形態例１のハンドホール組立治具の２本の突っ張り棒を回転自在に接続した状態の平面図である。
【図５】この考案の実施の形態例２のハンドホール組立治具の突っ張り棒の両端の当て板をユニバーサルに接続した状態の正面図である。
【図６】この考案の実施の形態例２のハンドホール組立治具の突っ張り棒の両端の当て板をユニバーサルに接続し、一方の当て板を曲げた状態の正面図である。
【図７】この考案の実施の形態例２のハンドホール組立治具の突っ張り棒の両端の当て板をユニバーサルに接続し、両方の当て板を折り曲げた状態の平面図である。
【図８】この考案の実施の形態例２のハンドホール組立治具の突っ張り棒の両端の当て板をユニバーサルに接続した組立治具を、横断面が長方形のハンドホールの下部のブロック状パーツに取付けた状態の平面図である。
【図９】この考案の実施の形態例３のハンドホール組立治具の突っ張り棒の両端の当て板にローラを設けた状態の正面図である。
【図１０】この考案の実施の形態例３のハンドホール組立治具の突っ張り棒の両端の当て板にローラを設けた状態の突っ張り棒の拡大側面図である。
【図１１】この考案の実施の形態例３のハンドホール組立治具の突っ張り棒の両端の当て板にローラを設けた状態の組立治具の使用状態を示す、一部断面正面図である。
【図１２】この考案の実施の形態例４のハンドホール組立治具の平面図である。
【図１３】この考案の実施の形態例４のハンドホール組立治具の正面図である。
【図１４】この考案の実施の形態例４のハンドホール組立治具をハンドホールの下部のブロック状パーツに取付けた状態の平面図である。
【図１５】この考案の実施の形態例１〜４のハンドホール組立治具を使用するハンドホールの斜視図である。
【図１６】この考案の実施の形態例１〜４のハンドホール組立治具を使用するハンドホールの蓋を取った平面図である。
【考案を実施するための形態】
【００２３】
（実施の形態例１）
この考案の実施の形態例１のハンドホール組立治具Ａを図１〜図４に基づいて説明する。
【００２４】
このハンドホール組立止治具Ａは、図１に示すように、横に長い管状の突っ張り棒１から成り。当該突っ張り棒１は長手方向に二分され、突っ張り棒部材２ａ、２ｂとなっている。当該突っ張り棒部材２ａの一端から、当該突っ張り棒部材２ａの中心軸の延長線上に螺子棒３が突出している。当該螺子棒３に、前記突っ張り棒部材２ａ、２ｂの外径以上の外径を有し、内周に螺子を有する調整管４が螺着されている。当該調整管４の外周には取っ手５，５が突設されている。
【００２５】
また、前記突っ張り棒部材２ｂは、前記調整管４の外側の螺子棒３に被冠されている。この突っ張り棒１の両端に、当該突っ張り棒１の長手方向に対して直角な縦長の当て板６、６が夫々設けられ、当該各当て板６の上部を内側に折り曲げたガイド片７としている。
【００２６】
そして、当該ハンドホール組立治具Ａの調整管４を取っ手５用いて回転させると、螺子棒３に螺着された調整管４は螺子棒３上を、突っ張り棒部材２ｂを押しながら移動し、図１の（ｂ）図に示すように、突っ張り棒１は伸長する。また、前記調整管４を逆に回すと、調整管４は螺子棒３上を、一方の突っ張り棒部材２ａに向かって移動する。その際、他方の突っ張り棒部材２ｂは螺子棒３に沿って、一方の突っ張り棒部材２ａ側に押し込めば、突っ張り棒１は短くなる。
【００２７】
また、このハンドホール組立治具Ａを使用するハンドホールＨは、図１５に示すように、ブロック状パーツＨ１、Ｈ２、Ｈ３…を積み重ねた箱体から成り、図１６に示すように、各ブロック状パーツＨ２、Ｈ３等を接合する上端縁には接合用のシール材８が設けられている。
【００２８】
このハンドホールＨを組み立てる際、前記ハンドホール組立治具Ａの使用法について説明する。まず、図３に示すように、地表面に穴９を掘り、その中にブロック状パーツＨ１、Ｈ２を重ねて設置する。このブロック状パーツＨ２は、図２に示すように、横断面が略正四角形の枠体から成る。また、この枠体の内周の四辺の四隅に斜めの内周角面Ｈ２１が設けられている。これらの各内周角面Ｈ２１は対角線上に対向している。
【００２９】
そして、２本のハンドホール組立治具Ａの突っ張り棒１の長さを予め調整管４を回して調整し、前記ブロック状パーツＨ２の中に入れ、各突っ張り棒１の両端の当て板６を前記内周角面Ｈ２１に夫々当てる。そして、前記取っ手５を用いて調整管４を回して各当て板６を前記内周角面Ｈ２１に押圧する。その際、各当て板６の上部のガイド片７が前記ブロック状パーツＨ２の上端面から突出するように調整する。
【００３０】
また、各ハンドホール組立治具Ａを２本用いるため、１本は他のものより下に位置する。従って、ブロック状パーツＨ２に取付けた場合、下に位置するハンドホール組立治具Ａの一対のガイド片７は上に位置するハンドホール組立治具Ａの一対のガイド片７より低くなる。この様にして２本のハンドホール組立治具Ａを、図２及び図３に示すようにブロック状パーツＨ２の四隅の内周角面Ｈ２１に各当て板６を押圧させて対角線上に設置する。
【００３１】
そして、図３に示すように、上部のブロック状パーツＨ３をクレーンで吊し、下部のブロック状パーツＨ２の上に重ねるが、下部のブロック状パーツＨ２の四隅には、上端が内側に曲がったガイド片７が突出しているため、上部のブロック状パーツＨ３はこれらの４つのガイド片７にガイドされて、下部のブロック状パーツＨ２の上の正しい位置に載置することが出来る。作業者にとっては、４つのガイド片７が上部のブロック状パーツＨ３の内周角部に入り込むように、上部のブロック状パーツＨ３を上から下ろせば、ブロック状パーツＨ３をブロック状パーツＨ２の上に正確に接合させることが出来る。
【００３２】
また、上記２本の突っ張り棒１は相互に分かれているが、これに替えて、図４に示すように、２本の突っ張り棒１を上下に重ねて軸支し、回転自在に接続しても良い。具体的には、各突っ張り棒１の中央部の突っ張り棒部材２ａを上下に重ねて軸１０を通し、当該軸１０を中心に相互に回転自在に接続する。これによりハンドホールＨの横断面の対角線上に、２本のハンドホール治具Ａを一度に、迅速に設置することできる。
【００３３】
（実施の形態例２）
次に、この考案の実施の形態例２のハンドホール組立治具Ｂを図５〜図８に基づいて説明する。
【００３４】
この実施の形態例２のハンドホール組立治具Ｂは、前記実施の形態例１のハンドホール組立治具Ａと構成はほぼ同じであり、異なる点のみ説明する。異なっている点は、突っ張り棒１の長手方向に対して両端の当て板６が上下左右回転自在に、即ち、ユニバーサルに接続され、突っ張り棒１に対して首を振れるようになっている。
【００３５】
このユニバーサルジョイント部１１は、図５に示すように、前記突っ張り棒１の突っ張り棒部材２ａ、２ｂの各外端から首部１２を突設し、その首部１２の先端に球状突部１３を設け、前記当て板６の基部裏面に設けた球状凹部１４に前記球状突部１３が摺動自在に嵌合されている。
【００３６】
これにより図６に示すように、ハンドホール組立治具Ｂの突っ張り棒１に対して各当て板６を上下方向に回転させて各当て板６及びガイド片７を傾斜させることが出来る。この場合、ハンドホールＨのブロック状パーツＨ２、Ｈ３等の相対向する前記内周角面Ｈ２１等に対してハンドホール治具Ｂの突っ張り棒１が水平でなく、多少上下方向に傾斜していても当該ハンドホール組立治具Ｂを相対向する前記内周角面Ｈ２１等に突っ張らせることが出来る。
【００３７】
また、図７に示すように、ハンドホール組立治具Ｂの突っ張り棒１に対して各当て板６を左右方向に回転させて各当て板６及びガイド片７を左右に振ることが出来る。これにより図８に示すように、ハンドホールＨの横断面が長方形の場合でも、当該ハンドホール組立治具ＢをハンドホールＨの例えば、ブロック状パーツＨ２の内周に対角線上に取付けることが出来る。その場合，ブロック状パーツＨ２の内周の四隅の内周角面Ｈ２１に、各ハンドホール組立治具Ｂの突っ張り棒１に対して当て板６の首を振らせて、４つの各当て板６を密着させて、２本の突っ張り棒１を強固に取り付けることが出来る。
【００３８】
勿論、ハンドホール組立治具Ｂの突っ張り棒１の一方の端部の当て板６のみにユニバーサルジョイント部１１を設けることもできる。また、２本のハンドホール組立治具Ｂを、前記実施の形態例１の様に、軸１０で回転自在に接続することもできる。
【００３９】
（実施の形態例３）
次に、この考案の実施の形態例３のハンドホール組立治具Ｃを図９〜図１１に基づいて説明する。
【００４０】
この実施の形態例３のハンドホール組立治具Ｃは、前記実施の形態例１のハンドホール組立治具Ａと構成はほぼ同じであり、異なる点のみ説明する。異なっている点は、図９及び図１０に示すように、各当て板６の下部に開口部１５を設け、また、前記突っ張り棒部材２ａ、２ｂの管体状の端部内に水平軸１６を設け、当該水平軸１６にローラ１７を回転自在に設けて、前記突っ張り棒部材２ａ、２ｂの端部内にローラ１７を設けている。そして各ローラ１７は前記開口部１５からその一側を外方に僅かに突出させている。
【００４１】
この実施の形態例３のハンドホール組立治具Ｃを用いてハンドホールＨを組み立てるには、図１１に示すように、ブロック状パーツＨ２の上端に、各ガイド片７を突出させて、２本のハンドホール組立治具Ｃを取付ける。その際、各ハンドホール組立治具Ｃの突っ張り棒１の当て板６から僅かに突出したローラ１７がハンドホールＨの四隅の各内周角面Ｄ２１に当たる構成となっている。
【００４２】
そして、当該２本のハンドホール組立治具Ｃの４つのガイド片７にガイドされて当該ブロック状パーツＨ２の上にブロック状パーツＨ３が接続される。その後、当該ブロック状パーツＨ３の上に次のブロック状パーツ（図示省略）を積み重ねる際、図１１に示すように、各ハンドホール組立治具Ｃをクレーン等で吊り上げ、当該ブロック状パーツＨ３の内周上端に移動させる。その時、各当て板６のローラ１７が前記ブロック状パーツＨ３の四隅の内周角面に沿って回転しながらハンドホール組立治具Ｃがスムーズに上がっていく。
【００４３】
上記実施の形態例１〜３においては、各ハンドホール組立治具Ａ〜Ｃの構成が異なるが、例えば、ユニバーサルジョイント部１１及びローラ１７を備えたり、２本のハンドホール組立治具Ｂ又はＣを、図４に示すように軸支して１本に連結してもよい。
【００４４】
（実施の形態例４）
次に、この考案の実施の形態例４のハンドホール組立治具Ｄを図１２〜図１４に基づいて説明する。
【００４５】
長さが自在に調整できる突っ張り棒１が設けられている。当該突っ張り棒１の構成は実施の形態例１〜３と同じである。この突っ張り棒１の両端に縦断面コ字型のアーム支持体２０が夫々設けられている。これらの各アーム支持体２０は前記突っ張り棒１とによって平面視略Ｔ字型となる、また、当該各アーム支持体２０の両側の上下板を夫々貫通する垂直軸２１、２１が設けられ、これらの各垂直軸２１に基部を軸支して水平方向に回転自在なアーム２２が夫々接続されている。これらの各２本のアーム２２は、前記突っ張り棒１の長手方向から４５度まで開き、それ以上は開かない構成となっている。
【００４６】
また、各アーム２２の先端には、当該各アーム２２の長手方向に対して直角な縦長の当て板６が夫々設けられ、当該各当て板６の上部を内側に折り曲げてガイド片７としている。また、前記各当て板６は各アーム２２に対しユニバーサルに接続されている。このユニバーサルに接続された構成は、前記実施の形態例２のハンドホール組立治具Ｂのジョイント部と同じ、ジョイント部１１が設けられている。
【００４７】
このハンドホール組立治具Ｄは、前記実施の形態例１〜３と同様に、図１４に示すように、ハンドホールＨの下部のブロック状パーツＨ２等の内周の四隅の内周角面Ｈ２１に４個の各当て板６を当接し、突っ張り棒１を伸ばして各当て板６を内周角面Ｈ２１に押し当て、各当て板６の上部のガイド片７を前記ブロック状パーツＤ２等の上端から突出させる。そして、これらの４個のガイド片７が上部のブロック状パーツＤ３等を当該ブロック状パーツＨ２等の上に積み重ねる際のガイドとなる。また、このハンドホール組立治具Ｄは、ハンドホールＨの横断面が長方形であって、長辺が特に長い場合に適しており、容易に４つの当て板６を取付け易い。
【符号の説明】
【００４８】
Ａ      ハンドホール組立治具    Ｂ      ハンドホール組立治具
Ｃ      ハンドホール組立治具    Ｄ      ハンドホール組立治具
Ｈ      ハンドホール
Ｈ１、Ｈ２、Ｈ３    ブロック状パーツ
Ｈ２１  内周角面
１      突っ張り棒                ２ａ    突っ張り棒部材
２ｂ    突っ張り棒部材            ３      螺子棒
４      調整管                    ５      取っ手
６      当て板                    ７      ガイド片
８      シール材                  ９      穴
１０    軸                        １１    ユニバーサルジョイント部
１２    首部                      １３    球状突部
１４    球状凹部                  １５    開口部
１６    水平軸                    １７    ローラ
２０    アーム支持体              ２１    垂直軸
２２    アーム
【図１】
0003221012.tif 000003
【図２】
0003221012.tif 000004
【図３】
0003221012.tif 000005
【図４】
0003221012.tif 000006
【図５】
0003221012.tif 000007
【図６】
0003221012.tif 000008
【図７】
0003221012.tif 000009
【図８】
0003221012.tif 000010
【図９】
0003221012.tif 000011
【図１０】
0003221012.tif 000012
【図１１】
0003221012.tif 000013
【図１２】
0003221012.tif 000014
【図１３】
0003221012.tif 000015
【図１４】
0003221012.tif 000016
【図１５】
0003221012.tif 000017
【図１６】
0003221012.tif 000018